(57)【要約】【課題】  シュレッダに取り付ける細断シート投入装置にあって、安価かつ少ない消費電力で、細断シートの連続投入を可能とする。【解決手段】  細断シート投入装置１０は、載置トレイ（シート載置部）１３とシート送出口１４とを備える。その細断シート投入装置１０は、載置トレイに載置する細断シートを、重力によりシート送出口から送り出してシュレッダに投入するように、シュレッダに取り付ける。【選択図】        図２
2005263469.tif 000002
【特許請求の範囲】
【請求項１】
シート載置部とシート送出口とを備え、
前記シート載置部に載置する細断シートを、重力により前記シート送出口から送り出してシュレッダに投入するように、シュレッダに取り付ける、
ことを特徴とする、細断シート投入装置。
【請求項２】
前記シート送出口を、そのシート送出口から送り出す細断シート量が前記シュレッダの細断能力を超えない大きさとすることを特徴とする、請求項１に記載の細断シート投入装置。
【請求項３】
前記細断シートを前記シート送出口から送り出すとともに、次の細断シートを前記シート送出口位置へと移動するように、前記シート載置部を移動する移動手段を備えることを特徴とする、請求項１または２に記載の細断シート投入装置。
【請求項４】
次の細断シートが前記シート送出口位置へと移動したことを検知する検知手段を備えることを特徴とする、請求項３に記載の細断シート投入装置。
【請求項５】
箱形状につくり、前記シート載置部と前記シート送出口を備えるとともに、細断シートを挿入するシート挿入口を備えることを特徴とする、請求項１または２に記載の細断シート投入装置。
【請求項６】
請求項１ないし５のいずれか１に記載の細断シート投入装置を取り付けることを特徴とする、シュレッダ。
【発明の詳細な説明】
【技術分野】
【０００１】
この発明は、細断シートを細断するシュレッダに関する。および、そのようなシュレッダに取り付け、シュレッダに細断シートを投入する細断シート投入装置に関する。
【背景技術】
【０００２】
見られては困る不要な文書などが記載された紙などの細断シートは、シュレッダに投入して細断し、閲覧が困難な状態にする。
【０００３】
そのような従来のシュレッダの中には、細断シートを手でシュレッダに投入して細断するものがあった。
【０００４】
また、例えば細断シートを載置する載置トレイに供給ローラを設け、細断時、そのローラを回転して細断シートを自動でシュレッダに投入するものもあった（例えば、特許文献１参照）。
【０００５】
【特許文献１】特開平９−２７２６３８号公報
【特許文献２】実用新案登録第３０７７７８７号公報
【発明の開示】
【発明が解決しようとする課題】
【０００６】
上述した手で細断シートをシュレッダに投入するものにあって、一枚ずつ細断シートを投入すると、作業効率が極めて悪い問題があった。
【０００７】
一方、シュレッダに複数枚の細断シートを投入すると、シュレッダの細断能力を越えた細断シートを投入、すなわち細断シートを過投入してしまう問題があった。
【０００８】
また、細断シートを自動でシュレッダに投入するものにあっては、供給ローラを回転するための駆動源を設ける必要があるため、コストアップとなる問題があった。
【０００９】
加えて、駆動源によって供給ローラを回転して細断シートをシュレッダに投入するから、電力の消費が大きい問題があった。
【００１０】
そこで、この発明の第１の目的は、シュレッダに取り付ける細断シート投入装置にあって、安価かつ少ない消費電力で、細断シートの連続投入を可能とすることにある。
【００１１】
ところで、細断シートを過投入してしまった場合、シュレッダでは、カッタを回転する駆動源を保護するため、駆動源の駆動を一時停止して後、駆動源を逆駆動してカッタを逆回転し、細断途中の細断シートを取り出して後、その細断途中の細断シートを適宜の量に分割して、再投入しなければならなかった。
【００１２】
よって、細断シートを過投入すると、シュレッダでは、駆動源の駆動を一時停止して、細断を一時中断しなければならない問題があった。
【００１３】
そこで、この発明の第２の目的は、細断シート投入装置にあって、細断シートの過投入を防止して、常に適量の細断シートを連続投入可能とすることにある。
【００１４】
この発明の第３の目的は、細断シート投入装置にあって、安定的な細断シートの連続投入を可能とすることにある。
【００１５】
この発明の第４の目的は、細断シート投入装置にあって、細断シートをシュレッダに投入することの確実性を向上することにある。
【００１６】
この発明の第５の目的は、細断シート投入装置にあって、細断シートをセットするときの作業性を向上することにある。
【００１７】
この発明の第６の目的は、第１から第５の目的を達成した細断シート投入装置を取り付けるシュレッダを提供することにある。
【課題を解決するための手段】
【００１８】
そのため、請求項１に記載の発明は、上述した第１の目的を達成すべく、
細断シート投入装置において、
シート載置部とシート送出口とを備え、
シート載置部に載置する細断シートを、重力によりシート送出口から送り出してシュレッダに投入するように、シュレッダに取り付ける、
ことを特徴とする。
【００１９】
請求項２に記載の発明は、上述した第２の目的も達成すべく、
請求項１に記載の細断シート投入装置において、
シート送出口を、そのシート送出口から送り出す細断シート量がシュレッダの細断能力を超えない大きさとすることを特徴とする。
【００２０】
請求項３に記載の発明は、上述した第３の目的も達成すべく、
請求項１または２に記載の細断シート投入装置において、
細断シートをシート送出口から送り出すとともに、次の細断シートをシート送出口位置へと移動するように、シート載置部を移動する移動手段を備えることを特徴とする。
【００２１】
請求項４に記載の発明は、上述した第４の目的も達成すべく、
請求項３に記載の細断シート投入装置において、
次の細断シートがシート送出口位置へと移動したことを検知する検知手段を備えることを特徴とする。
【００２２】
請求項５に記載の発明は、上述した第５の目的も達成すべく、
請求項１または２に記載の細断シート投入装置において、
箱形状につくり、シート載置部とシート送出口を備えるとともに、細断シートを挿入するシート挿入口を備えることを特徴とする。
【００２３】
請求項６に記載の発明は、上述した第６の目的を達成すべく、
シュレッダにおいて、
請求項１ないし５のいずれか１に記載の細断シート投入装置を取り付けることを特徴とする。
【発明の効果】
【００２４】
請求項１に係る発明によれば、細断シート投入装置にあって、シート載置部に載置する細断シートを、重力によりシート送出口から送り出してシュレッダに投入するので、シュレッダに細断シートを投入する際に必要とする電力を少なくすることができるとともに、駆動源の容量を小さくすることができるから、安価かつ少ない消費電力で、細断シートの連続投入を可能とすることができる。
【００２５】
加えて、細断シート投入装置がシュレッダに取り付けるものであるので、既存の手差しシュレッダに後から細断シート投入装置を取り付けて細断シートを自動的に連続投入可能とすることもできる。
【００２６】
請求項２に係る発明によれば、細断シート投入装置にあって、シート送出口を、そのシート送出口から送り出す細断シート量がシュレッダの細断能力を超えない大きさとするので、シート送出口で規制して細断シートの過投入を防止し、常に適量の細断シートを連続投入可能とすることができる。
【００２７】
請求項３に係る発明によれば、細断シート投入装置にあって、細断シートをシート送出口から送り出すとともに、次の細断シートをシート送出口位置へと移動するように、シート載置部を移動する移動手段を備えるので、次の細断シートを順次シート送出口位置へと移動して安定的な細断シートの連続投入を可能とすることができる。
【００２８】
請求項４に係る発明によれば、細断シート投入装置にあって、次の細断シートがシート送出口位置へと移動したことを検知する検知手段を備えるので、次の細断シートの有無、および次の細断シートがシート送出口位置へと移動したことを的確に把握して、作動の確実性を向上することができる。
【００２９】
請求項５に係る発明によれば、細断シート投入装置にあって、箱形状につくり、シート載置部とシート送出口を備えるとともに、細断シートを挿入するシート挿入口を備えるので、あらかじめシート挿入口から細断シートを挿入してからシュレッダに取り付けるようにし、細断シートをセットするときの作業性を向上することができる。
【００３０】
請求項６に係る発明によれば、請求項１ないし５のいずれか１に記載の細断シート投入装置を取り付けるシュレッダであるので、上述した効果を有する細断シート投入装置を取り付けるシュレッダを提供することができる。
【発明を実施するための最良の形態】
【００３１】
以下、図面を参照しつつ、この発明の実施の最良形態について説明する。
図１には、この発明による細断シート投入装置の概略構成を示す。
【００３２】
細断シート投入装置１０には、箱状の筐体１１を設ける。その筐体１１の側面下部には、例えばネジ孔を各々有する取付部材１１ａを２つずつ設ける。
【００３３】
また、筐体１１の正面上部には、例えば横長のシート送出口１４を設ける。そして、筐体１１の内部には、シート送出口１４位置から、図中右下に向けて傾斜するシート搬送路Ｒを、ガイド板１２ａ、１２ｂなどで形成する。
【００３４】
さらにまた、シート送出口１４の下方で、筐体１１の正面には、載置トレイ（シート載置部）１３を設ける。載置トレイ１３は、基端を下に、先端を上にして斜めとする。なお、図示省略するが、筐体１１の正面には、上下方向に沿ってガイド溝を設ける。そして、そのガイド溝に、載置トレイ１３の基端に設ける凸部を係合する。
【００３５】
シート送出口１４の近傍には、細断シートがシート送出口位置１５にあることを検知する例えば接触式のセンサ（検知手段）１６を設ける。そのセンサ１６を筐体１１に取り付けて筐体１１で支持する。
【００３６】
また、この例では、筐体１１内に不図示の移動手段を設ける。その移動手段は、モータなどの駆動源、その駆動源の駆動力を伝達する例えばベルトなどの駆動伝達手段等で構成する。
【００３７】
そして、駆動源を駆動し、その駆動を駆動伝達手段を介して載置トレイ１３に伝達し、それによって筐体１１のガイド溝に沿って載置トレイ１３を図中上下方向に移動する。
【００３８】
このような細断シート投入装置にあって、取付部材１１ａのネジ孔にそれぞれ不図示のネジを入れ、そのネジで図２に示す箱状の手差しシュレッダ２０の上部に、細断シート投入装置１０を取り付ける。
【００３９】
そのシュレッダ２０の上面には、凹部２１を形成する。その凹部２１の中央には、開口２２を設ける。
【００４０】
また、開口２２の近傍には、センサ（検知手段）２３を設ける。そのセンサ２３は、例えば発光部２３ａと受光部２３ｂとを有する光式のものとする。
【００４１】
シュレッダ２０の内部には、細断シートを細断する細断部２４、および細断シートを細断した後に発生する細断屑を収納する収納ボックス２５を設ける。
【００４２】
細断部２４には、開口２２から投入した細断シートを細断するカッタ（細断部材）２６、およびそのカッタ２６を回転する不図示のモータ（駆動源）を設ける。
【００４３】
シュレッダ２０の一の側面には開閉扉を設け、その開閉扉を開閉して、収納ボックス２５をシュレッダ２０内に出し入れ自在とする。
【００４４】
さて、いま、このような細断シート投入装置１０を取り付けたシュレッダ２０を用いて、細断シートを細断する場合、先ず、細断シートＳを図３に示すように載置トレイ１３上に載置する。
【００４５】
すると、載置トレイ１３を、基端を下に、先端を上にして斜めとしたので、重力の作用によって、細断シートＳの一端は、筐体１１の正面に突き当たる。
【００４６】
そして、シュレッダ２０に設ける不図示のメイン電源をオンする。すると、シュレッダ２０内では、モータが駆動してカッタ２６を回転する。一方、細断シート投入装置１０では、センサ１６の検知結果を判断する。
【００４７】
センサ１６はオフであるから、細断シート投入装置１０の不図示の移動手段によって載置トレイ１３を図中上方へ移動する。そして、図４に示すように、載置トレイ１３の一番上にセットされた細断シートＳがセンサ１６に接触して、細断シートＳがシート送出口位置１５となると、センサ１６がオンとなって移動手段の移動を停止して、載置トレイ１３が実線で示す位置となる。
【００４８】
それから、シート送出口位置１５となっているはじめの細断シートＳの束を、重力によりシート送出口１４から送り出し、シート搬送路Ｒを通してシュレッダの開口２２に投入して図５に示すようにする。
【００４９】
このとき、そのシート送出口１４から送り出す細断シートＳ量がシュレッダ２０の細断能力を超えないように、細断シート投入装置１０のシート送出口１４を所要の開口面積としている。
【００５０】
そして、シュレッダの開口２２に投入した細断シートＳは、センサ２３で検知しつつ、不図示のモータの駆動力によって回転するカッタ２６で細断されて細断屑となる。その細断屑は、収納ボックス２５内に収納する。
【００５１】
一方、細断シート投入装置１０では、はじめの細断シートＳの束を、重力によりシート送出口１４から送り出すとセンサ１６がオフとなる。そして、その検知結果に基づき、不図示の移動手段によって載置トレイ１３を上方に移動して、次の細断シートＳの束をシート送出口位置１５へと移動し、細断シートＳを連続投入する。
【００５２】
以上の繰り返し、すなわち、載置トレイ１３を移動し、シート送出口位置１５となっている細断シートＳの束を重力によりシート送出口１４から送り出し、シート搬送路Ｒを通してシュレッダ２０の開口２２に投入し、細断シートＳを回転するカッタ２６で細断して細断屑とする動作を繰り返す。
【００５３】
そして、載置トレイ１３を最上位位置まで移動した際、センサ１６によって細断シートＳを検知しない場合、載置トレイ１３上に載置した細断シートＳをすべて細断したこととなるので、載置トレイ１３を移動手段によって最下位位置まで移動する。
【００５４】
一方、シュレッダ２０では、開口２３から投入される細断シートＳがなくなると、センサ２３がオフとなるので、そのセンサ２３の検知結果に基づき、不図示のモータの駆動を停止してカッタ２６の回転を止める。
【００５５】
そして、このような細断の繰り返しによって、収納ボックス２５が一杯となった場合には、シュレッダ２０の開閉扉を開いて収納ボックス２５を取り出し、細断屑を廃棄する。廃棄後、収納ボックス２５は、再び、シュレッダ２０内に入れて開閉扉を閉める。
【００５６】
なお、上述した細断シート投入装置１０の例では、不図示の移動手段によって載置トレイ１３を移動していたが、この発明はそれに限られず、載置トレイ１３を移動する移動手段を設けずに、手動によって載置トレイ１３を移動しても良い。
【００５７】
ところで、この発明による別の細断シート投入装置３０を図６（Ａ）および（Ｂ）に示す。この細断シート投入装置３０は、箱形状につくる。
【００５８】
そして、箱形状とした細断シート投入装置３０の底面をシート載置部３０ａとし、一の側面にシート送出口３０ｂを設け、そのシート送出口３０ｂを開閉自在の開閉扉３０ｃで塞ぐ。
【００５９】
また、箱形状とした細断シート投入装置３０の天面には、細断シートを挿入するシート挿入口３０ｄを設け、そのシート挿入口３０ｄを開閉自在のカバー３０ｅで塞ぐ。
【００６０】
よって、この細断シート投入装置３０は、箱形状につくり、シート載置部３０ａとシート送出口３０ｂを備えるとともに、細断シートを挿入するシート挿入口３０ｄを備える。
【００６１】
さて、いま、このような細断シート投入装置３０を取り付けたシュレッダを用いて、細断シートを細断する場合を、図７を用いて説明する。なお、図７に示すシュレッダ２０において、図２に示すものと同一のものには同一の符号を付して説明を省略する。
【００６２】
まず、開閉扉３０ｃが開いた細断シート投入装置３０をシュレッダ２０から取り外して後、その細断シート投入装置３０を、例えば机の上などの水平面の上に置く。すると、細断シート投入装置３０の開閉扉３０ｃは、重力により閉じる。
【００６３】
そして、カバー３０ｅを開き、図８に示すように、シート挿入口３０ｄから細断シートＳを挿入してからカバー３０ｅを閉じて、細断シートＳをシート載置部３０ａ上にセットする。
【００６４】
次に、シュレッダ２０が備える不図示のメイン電源をオンする。すると、シュレッダ２０内では、モータが駆動し、カッタ２６を回転する。
【００６５】
次いで、シュレッダ２０の凹部２１を形成する一の斜面に沿って、細断シート投入装置３０をスライドして後、その細断シート投入装置３０をシュレッダ２０に取り付けて、図９に示すようにする。
【００６６】
すると、図示するように、細断シート投入装置３０の開閉扉３０ｃが開き、細断シートＳを、重力によりシート送出口３０ｂから順次送り出して、図１０に示すように、シュレッダの開口２２に投入する。
【００６７】
このとき、そのシート送出口３０ｂから送り出す細断シートＳ量がシュレッダ２０の細断能力を超えないように、細断シート投入装置３０のシート送出口３０ｂを所要の開口面積としている。
【００６８】
シュレッダの開口２２に投入された細断シートＳは、不図示のモータの駆動力によって回転するカッタ２６で細断されて細断屑となる。その細断屑は、収納ボックス２５内に収納する。
【００６９】
なお、シュレッダ２０に細断シート投入装置３０を回動自在に取り付け、シュレッダ２０に細断シート投入装置３０を取り付け後、細断シート投入装置３０を徐々に回動して、シート載置部３０ａの傾斜をしだいに急とすることによって重力の作用を大きくし、シュレッダの開口２２に順次細断シートＳを投入できるようにすると良い。
【図面の簡単な説明】
【００７０】
【図１】この発明による細断シート投入装置の一例の概略構成図である。
【図２】その細断シート投入装置を取り付けたシュレッダの概略構成図である。
【図３】その細断シート投入装置にあって、細断シートをシート載置部に載置する時の説明図である。
【図４】その細断シート投入装置にあって、細断シートをシート送出口位置としたときの説明図である。
【図５】そのシート送出口位置とした細断シートを、シート送出口から送り出してシュレッダに投入するときの説明図である。
【図６】この発明による別の細断シート投入装置にあって、（Ａ）は、その細断シート投入装置の斜視図であり、（Ｂ）は、その細断シート投入装置の側面図である。
【図７】その細断シート投入装置を取り付けたシュレッダの概略構成図である。
【図８】その細断シート投入装置にあって、細断シートをシート載置部に載置する時の説明図である。
【図９】その細断シートを載置した細断シート投入装置を、シュレッダに取り付けたときの説明図である。
【図１０】そのシュレッダにより、細断シートを細断しているときの説明図である。
【符号の説明】
【００７１】
１０、３０      細断シート投入装置
１３    載置トレイ（シート載置部）
１４、３０ｂ    シート送出口
１５    シート送出口位置
１６    センサ（検知部材）
３０ａ  シート載置部
Ｓ      細断シート
【図１】
2005263469.tif 000003
【図２】
2005263469.tif 000004
【図３】
2005263469.tif 000005
【図４】
2005263469.tif 000006
【図５】
2005263469.tif 000007
【図６】
2005263469.tif 000008
【図７】
2005263469.tif 000009
【図８】
2005263469.tif 000010
【図９】
2005263469.tif 000011
【図１０】
2005263469.tif 000012